(57)【要約】【課題】燃焼排気の顕熱と潜熱とを回収し、ドレン配管を排除した給湯装置において、長時間、継続使用した場合であってもドレンの漏れを抑制することができる給湯装置を提供する。【解決手段】本発明の給湯装置は、第２の熱交換器２６によって燃焼排気の顕熱を回収し、第１の熱交換器２５によって第２の熱交換器２６と熱交換した後の燃焼排気の潜熱を回収するように構成された給湯装置である。給湯装置は、第１の熱交換器２５をバイパスするバイパス管６と、供給された水を第１の熱交換器２５を通すかあるいはバイパス管６を通すかのいずれかに切り替える切替弁６１と、この切替弁６１を、前記第１の熱交換器２５と熱交換した燃焼排気から生ずるドレンの発生量に基づいて切り替える制御装置７とを備える。【選択図】図１
2015194285.tif 000002
【特許請求の範囲】
【請求項１】
上流側の端部に水供給口が設けられた供給管と、
この供給管に接続された第１の熱交換器と、
この第１の熱交換器の下流側に接続された第２の熱交換器と、
この第２の熱交換器の下流側に接続され、その下流側の端部に出湯口が設けられた出湯管と、
前記第１の熱交換器および前記第２の熱交換器と燃焼排気によって熱交換を行わせるバーナと
を備え、
前記第２の熱交換器によって燃焼排気の顕熱を回収し、前記第１の熱交換器によって前記第２の熱交換器と熱交換した後の燃焼排気の潜熱を回収するように構成された給湯装置であって、
前記供給管と前記第２の熱交換器の上流側との間に設けられ前記第１の熱交換器をバイパスするバイパス管と、
前記水供給口に供給された水について、前記第１の熱交換器を通すか、あるいは前記バイパス管を通して前記第１の熱交換器をバイパスさせるかのいずれかに切り替える切替弁と、
この切替弁を、前記第１の熱交換器と熱交換した燃焼排気から生ずるドレンの発生量に基づいて切り替える制御装置と
を備えている
ことを特徴とする給湯装置。
【請求項２】
前記第１の熱交換器と熱交換した燃焼排気から生ずるドレンを受けるドレン受けと、
このドレン受けに溜められたドレンの量を検知するドレン量検知部と
を備え、
前記制御装置は、前記ドレン量検知部によって検知されたドレン量が一定量に達すると、前記バイパス管を通して前記第１の熱交換器をバイパスするように前記切替弁を切り替える
ことを特徴とする請求項１記載の給湯装置。
【請求項３】
前記ドレン受けに受けられたドレンを蒸発させるドレン蒸発装置をさらに備えている
ことを特徴とする請求項２に記載の給湯装置。
【請求項４】
前記ドレン蒸発装置は、前記ドレン受けに設けられてドレンを吸い上げる多孔質体を備え、当該多孔質体は、前記バーナの燃焼排気の流通路に配置されている
ことを特徴とする請求項３記載の給湯装置。
【請求項５】
前記ドレン蒸発装置は、ドレン受けに溜められたドレンを気化させるためのヒータを備えている
ことを特徴とする請求項３または請求項４に記載の給湯装置。
【請求項６】
前記第１の熱交換器内の水の温度を検知する温度検知部をさらに備え、
前記制御装置は、水を前記バイパス管を通して前記第１の熱交換器をバイパスさせるように前記切替弁を切り替えた状態で、前記温度検知部が検知した温度値が所定の温度を超えると、所定の時間、前記第１の熱交換器を通すように前記切替弁を切り替える
ことを特徴とする請求項１〜５のいずれか一項に記載の給湯装置。
【発明の詳細な説明】
【技術分野】
【０００１】
本発明は、給湯装置に関し、詳しくは、ドレン配管が不要な給湯装置に関する。
【背景技術】
【０００２】
特許文献１には、従来の給湯装置が開示されている。この特許文献１記載の給湯装置（特許文献１では給湯器）は、燃焼排気の顕熱を回収する主熱交換器と、燃焼排気の潜熱を回収する副熱交換器とを備えている。副熱交換器は、給水管の下流側に接続されている。また、主熱交換器は、副熱交換器の下流側に接続されている。この主熱交換器の下流側には出湯管が接続されている。
【０００３】
給水管に供給された水は、副熱交換器で燃焼排気と熱交換することで温度上昇し、さらにその後、主熱交換器で燃焼排気と熱交換することで温度上昇する。主熱交換器によって高温となった水は、出湯管を介して出湯する。
【０００４】
このとき、燃焼排気は、主熱交換器によって顕熱が回収された後、副熱交換器によって潜熱が回収されるため、凝縮してドレンに状態変化する。
【０００５】
特許文献１記載の給湯器は、副熱交換器の下方にドレン蒸発器が設けられている。ドレン蒸発器は、副熱交換器によって生じたドレンを受け、燃焼排気によって加熱されるように構成されている。これにより、特許文献１記載の給湯器は、副熱交換器において発生したドレンを装置外に排出するためのドレン配管を排除した構造となっている。
【先行技術文献】
【特許文献】
【０００６】
【特許文献１】特開２００２−９８４１３号公報
【発明の概要】
【発明が解決しようとする課題】
【０００７】
ところで、この特許文献１記載の給湯器は、ドレン蒸発器を加熱することによってドレンを蒸発させ、これによりドレン配管を排除した構造を実現したものである。しかしながら、ユーザーによっては給湯器を長時間に亙って継続して使用する場合もあり、この場合、ドレン蒸発器によるドレンの蒸発量よりも、副熱交換器から生ずるドレン発生量が上回ることもある。この場合に、給湯器の運転を継続すると、ドレンは、ドレン蒸発器から溢れてしまい、この結果、給湯器から漏れてしまうという問題がある。
【０００８】
本発明は、上記事情に鑑みてなされたものであり、その目的とするところは、燃焼排気の顕熱と潜熱とを回収し、ドレン配管を排除した給湯装置において、長時間、継続使用した場合であってもドレンの漏れを抑制することができる給湯装置を提供することにある。
【課題を解決するための手段】
【０００９】
本発明の請求項１に係る発明は、上流側の端部に水供給口が設けられた供給管と、この供給管に接続された第１の熱交換器と、この第１の熱交換器の下流側に接続された第２の熱交換器と、この第２の熱交換器の下流側に接続され、その下流側の端部に出湯口が設けられた出湯管と、前記第１の熱交換器および前記第２の熱交換器と燃焼排気によって熱交換を行わせるバーナとを備え、前記第２の熱交換器によって燃焼排気の顕熱を回収し、前記第１の熱交換器によって前記第２の熱交換器と熱交換した後の燃焼排気の潜熱を回収するように構成された給湯装置であって、前記供給管と前記第２の熱交換器の上流側との間に設けられ前記第１の熱交換器をバイパスするバイパス管と、前記水供給口に供給された水について、前記第１の熱交換器を通すか、あるいは前記バイパス管を通して前記第１の熱交換器をバイパスさせるかのいずれかに切り替える切替弁と、この切替弁を、前記第１の熱交換器と熱交換した燃焼排気から生ずるドレンの発生量に基づいて切り替える制御装置とを備えていることを特徴とする。
【００１０】
このように請求項１に係る発明は、ドレンの発生量に基づいて切替弁を切り替える。このため、ドレンの発生量が多い場合には、供給した水について第１の熱交換器をバイパスさせることで、ドレンの発生を抑制できる。また、ドレンの発生量が少ない場合には、供給した水について第１の熱交換器を通すことで、燃焼排気から効果的に熱を回収できる。この結果、できる限り熱回収率を高めながら、長時間、継続使用した場合であってもドレンの漏れを抑制することができる。
【００１１】
また、請求項２に係る発明は、請求項１に係る発明において、前記第１の熱交換器と熱交換した燃焼排気から生ずるドレンを受けるドレン受けと、このドレン受けに溜められたドレンの量を検知するドレン量検知部とを備え、前記制御装置は、前記ドレン量検知部によって検知されたドレン量が所定量となると、前記バイパス管を通して前記第１の熱交換器をバイパスするように前記切替弁を切り替える。
【００１２】
このように請求項２に係る発明は、ドレン受けに溜められたドレンの量が所定量になると、供給した水をバイパス管を通してドレンの発生量を抑制する。このため、長時間、継続使用した場合であっても、ドレン受けからドレンが溢れるのを防ぐことができ、ドレンが漏れるのを抑制することができる。
【００１３】
また、請求項３に係る発明は、請求項２に係る発明において、前記ドレン受けに受けられたドレンを蒸発させるドレン蒸発装置をさらに備えている。
【００１４】
このため、請求項３に係る発明によれば、ドレン受けによってドレンが受けられても、当該ドレンを蒸発させることができ、ドレン受けからドレンが溢れるのを防ぐことができる。
【００１５】
また、請求項４に係る発明は、請求項３に係る発明において、前記ドレン蒸発装置は、前記ドレン受けに設けられてドレンを吸い上げる多孔質体を備え、当該多孔質体は、前記バーナの燃焼排気の流通路に配置されている。
【００１６】
請求項４に係る発明は、多孔質体が燃焼排気の流通路に配置されているため、多孔質体に吸い上げられたドレンを効果的に蒸発させることができる。この結果、ドレン受けからドレンが溢れるのを防ぐことができる。
【００１７】
請求項５に係る発明は、請求項３または請求項４に係る発明において、前記ドレン蒸発装置は、ドレン受けに溜められたドレンを気化させるためのヒータを備えている。
【００１８】
このため、請求項５に係る発明によれば、ドレン受けに溜められたドレンの蒸発を促進させることができ、この結果、ドレンがドレン受けから溢れるのを防ぐことができる。
【００１９】
請求項６に係る発明は、請求項１〜５のいずれか一項に係る発明において、前記第１の熱交換器内の水の温度を検知する温度検知部をさらに備え、前記制御装置は、水を前記バイパス管を通して前記第１の熱交換器をバイパスさせるように前記切替弁を切り替えた状態で、前記温度検知部が検知した温度値が所定の温度を超えると、所定の時間、前記第１の熱交換器を通すように前記切替弁を切り替える。
【００２０】
請求項６に係る発明は、第１の熱交換器内の水が加熱され続け、当該水が所定の温度を超えると、供給管内の水を第１の熱交換器内に流通する。このため、第１の熱交換器内の水が過熱状態となって膨張するのを防ぐことができ、配管内が過圧状態となるのを回避することができる。
【発明の効果】
【００２１】
本発明の給湯装置によれば、燃焼排気の顕熱と潜熱とを回収し、ドレン配管を排除した給湯装置において、長時間、継続使用した場合であってもドレンの漏れを抑制することができる。
【図面の簡単な説明】
【００２２】
【図１】本実施形態の給湯器の断面図である。
【図２】本実施形態の給湯器の要部拡大断面図である。
【発明を実施するための形態】
【００２３】
以下、本発明の実施形態について添付図面に基づいて説明する。
【００２４】
図１には、本実施形態の給湯装置の断面図が記載されている。本実施形態の給湯装置は、２つの熱交換器（第１の熱交換器２５と第２の熱交換器２６）を内蔵しており、バーナ２４から発生する燃焼排気の顕熱だけでなく、潜熱も回収して、効率よく高温の湯を生成するものである。一方で、潜熱を回収すると、燃焼排気は凝縮してドレンに変化するが、本実施形態の給湯装置は、このドレンの発生量が多くなると、潜熱の回収を制限してドレンの発生量を抑制する。本実施形態の給湯装置は、水を湯に変えて当該湯を台所や浴室等の水栓に吐出させる給湯器である（以下、本実施形態の給湯装置を給湯器という）。給湯器は、図１に示すように、筐体１と、燃焼室２と、制御装置７とを備えている。
【００２５】
筐体１は、箱形状に形成されている。筐体１は、給湯器の外郭を形成する。筐体１の下部には、外気を内部に取り込むための給気口１１が設けられている。また、筐体１の上部には、バーナ２４により生成された燃焼排気を外部に排出するための排気口１２が設けられている。
【００２６】
燃焼室２は、筐体１内に設けられている。燃焼室２は、給水源から供給された水を加熱して湯を生成する。燃焼室２には、流入口２１と、流出口２２と、流通路２３とが設けられている。流入口２１は、燃焼室２の下部に設けられている。流出口２２は燃焼室２の上部に設けられている。流出口２２は、筐体１の排気口１２に通じる。流通路２３は、流入口２１と流出口２２とを連通する。また、燃焼室２は、バーナ２４と、第１の熱交換器２５と、第２の熱交換器２６と、ファン２７とを備えている。
【００２７】
ファン２７は、流入口２１の下方に設けられている。ファン２７は、外気（燃焼用の一次空気）をバーナ２４に供給する。ファン２７が駆動すると、給気口１１から筐体１内に空気が取り込まれ、この取り込まれた空気は、流入口２１を介して燃焼室２内に流入する。ファン２７は、制御装置７に電気的に接続されており、当該制御装置７に駆動制御される。
【００２８】
バーナ２４は、燃焼室２内に収容配置されている。バーナ２４には、予混合ガスが供給され、これにより燃焼して燃焼排気を生成する。燃焼排気は、流通路２３に沿って流通し、流出口２２を介して排出される。なお、予混合ガスは、バーナ２４の燃焼前において、燃料ガスとファン２７からの一次空気とが混合されて生成される。
【００２９】
バーナ２４の上方には第１の熱交換器２５と第２の熱交換器２６とが配置されている。第１の熱交換器２５及び第２の熱交換器２６は、バーナ２４から発生する燃焼排気に接触するようにして設けられる。
【００３０】
第１の熱交換器２５は、例えば、蛇行したステンレス管に放熱フィンが設けられて構成されている。第１の熱交換器２５の流入口には、供給管２８が連通接続されている。この供給管２８の上流側の端部には水供給口３２が設けられている。水供給口３２から水が供給されると、当該水は、第１の熱交換器２５に流入する。この第１の熱交換器２５の下流側には、第２の熱交換器２６が接続される。
【００３１】
第２の熱交換器２６は、第１の熱交換器２５の下方に離れて設けられており、燃焼室２の内部に収容配置されている。第２の熱交換器２６は、第１の熱交換器２５に、接続管３０を介して連通接続される。接続管３０は、上流側端部が第１の熱交換器２５の流出口に接続され、下流側端部が第２の熱交換器２６の流入口に接続される。
【００３２】
第２の熱交換器２６は、例えば、蛇行した銅管に放熱フィンが設けられて構成されている。第２の熱交換器２６の下流側の端部には、出湯管３１が接続されている。出湯管３１の途中には開閉弁２９が設けられており、開閉弁２９の開閉駆動によって、給湯器に供給された水の流通状態（つまり吐水と止水）が切り替えられる。出湯管３１の下流側の端部には、出湯口３３が設けられている。
【００３３】
この出湯口３３と、供給管２８の水供給口３２とは、筐体１の下端から露出して設けられる。水供給口３２には、給水源（例えば、水道管）に連通する給水管が接続される。また、出湯口３３には、例えば、混合水栓等の給湯口に接続される。
【００３４】
水供給口３２から水が供給された状態でバーナ２４が燃焼すると、バーナ２４によって発生する燃焼排気が、第２の熱交換器２６に接触し、第２の熱交換器２６を通過した燃焼排気が第１の熱交換器２５に接触する。すると、供給管２８を流通する水は、第１の熱交換器２５に流入し、燃焼排気と熱交換して温度上昇する。この後、温度上昇した水は、第２の熱交換器２６に流入し、燃焼排気と熱交換して、さらに温度上昇する。そして、第２の熱交換器２６を通過した水は、出湯口３３を介して出湯する。
【００３５】
このとき、燃焼排気は、第２の熱交換器２６によって顕熱が回収され、この後、第１の熱交換器２５によって潜熱（正確には、潜熱および顕熱）が回収される。この結果、給湯器は、水供給口３２に供給された水を効果的に加熱することができる。
【００３６】
燃焼排気は、第１の熱交換器２５によって潜熱が回収されると、凝縮してドレンに変化する。従って、第１の熱交換器２５にはドレンが付着する。このドレンは、図２に示すように、燃焼室２に設けられたドレン受け４に受けられる。
【００３７】
ドレン受け４は、導水部４１と、容器部４２とを備えている。導水部４１は、第１の熱交換器２５の下方に配置されている。導水部４１は、容器部４２に向かうほど下方に位置するように傾斜している。導水部４１上に落下したドレンは、傾斜に従って流下し、容器部４２に集水される。
【００３８】
容器部４２は、上方に開口した有底箱形状をしている。容器部４２には、第１の熱交換器２５によって発生したドレンが集められる。給湯器には、容器部４２に受けられたドレンを蒸発させるドレン蒸発装置５が設けられている。
【００３９】
ドレン蒸発装置５は、ドレン受け４に受けられたドレンを蒸発させる。ドレン蒸発装置５は、多孔質体５１を備えている。多孔質体５１の上端は、燃焼室２の上端に当接または近接対向している。これにより、多孔質体５１は、流通路２３内に配置される。多孔質体５１は、例えば、全面に亙って微細な孔が形成されたセラミックによって構成される。多孔質体５１は、毛細管現象によって容器部４２に集水されたドレンを吸い上げる。
【００４０】
容器部４２のドレンを吸い上げた多孔質体５１は、流通路２３内に配置されているため、第１の熱交換器２５を通過した燃焼排気に晒される。このため、多孔質体５１に吸い上げられたドレンは、燃焼排気によって気化する。これにより、本実施形態のドレン蒸発装置５によれば、容器部４２に集水されたドレンを蒸発させることができる。
【００４１】
本実施形態の給湯器は、ドレンを効果的に蒸発させることができるのに加えて、ドレンの発生を抑制する機能を有しており、これによってドレンが溢れるのを防止する。本実施形態の給湯器は、ドレンの量に基づいて、供給管２８を流通する水について、第１の熱交換器２５を通さないか、或いは第１の熱交換器２５を通すかを切り替えることができる。
【００４２】
給湯器は、図１に示すように、接続管３０と供給管２８との間に架け渡されたバイパス管６を有している。バイパス管６は、供給管２８の途中と接続管３０の途中との間に設けられており、言い換えると、供給管２８と第２の熱交換器２６の上流側との間に設けられる。供給管２８を通る水がバイパス管６を流通すると、第１の熱交換器２５をバイパスして第２の熱交換器２６に流入する。
【００４３】
このバイパス管６には、流路を切り替える切替弁６１が設けられる。切替弁６１は、水供給口３２に供給された水を、第１の熱交換器２５を通すか、あるいはバイパス管６を通して第１の熱交換器２５をバイパスするかのいずれかに切り替える。本実施形態の切替弁６１は、三方弁によって構成されている。なお、切替弁６１として、例えば、複数の電磁弁を用いて、流路を切り替えるものであってもよい。切替弁６１は、制御装置７に電気的に接続されており、制御装置７によって流路の切り替え制御がなされる。
【００４４】
また、ドレン受け４には、図２に示すように、ドレン量検知部８が設けられている。ドレン量検知部８は、容器部４２の側壁に固定されている。ドレン量検知部８は、容器部４２の底面から所定の寸法だけ上方に離れて設けられている。これにより、ドレン量検知部８は、容器部４２に集水されたドレンの液面が一定の水位に達すると、それを検知することができる。すなわち、ドレン量検知部８は、ドレン受け４に溜められたドレンの量を検知することができる。このドレン量検知部８は、制御装置７に電気的に接続されている。
【００４５】
制御装置７は、ドレン量検知部８から検知信号が入力されると、切替弁６１を切り替える。制御装置７は、ドレン量検知部８から検知信号が入力されると、供給管２８を通る水がバイパス管６を通して第１の熱交換器２５をバイパスするように、切替弁６１を切り替える。すなわち、制御装置７は、ドレン量検知部８によって検知されたドレン量が所定の量となると、バイパス管６を通して第１の熱交換器２５をバイパスするように切替弁６１を切り替える。これにより、第１の熱交換器２５に温度の低い水が通らないようにでき、この結果、潜熱の回収を抑制してドレンの発生を抑制することができる。
【００４６】
ところで、温度の低い水が第１の熱交換器２５をバイパスする状態で運転を続けると、燃焼排気は第１の熱交換器２５を加熱し続け、第１の熱交換器２５内の水が加熱され続けるため、過熱状態となる場合がある。この場合、第１の熱交換器２５内の水が膨張して、配管内の圧力が上がり過ぎてしまう。
【００４７】
これを防止するため、本実施形態の給湯器は、加圧防止手段を備えている。加圧防止手段は、第１の熱交換器２５内の水の温度を検知する温度検知部（図示せず）と、切替弁６１と、制御装置７とにより構成される。
【００４８】
温度検知部は、例えば、第１の熱交換器２５内に挿入された温度センサーによって構成される。温度検知部は、第１の熱交換器２５内の水の温度を検知すると、その温度値を制御装置７に出力する。
【００４９】
制御装置７は、温度検知部から温度値が入力されると、その温度値が所定の温度以上であるか否かを判定する。制御装置７は、温度値が所定の温度以上であると判定すると、切替弁６１を一定時間（例えば、５秒程度）、供給管２８を通る水が第１の熱交換器２５を通るように切替弁６１を切り替える。
【００５０】
すると、過熱状態の第１の熱交換器２５内の水は、流通し始めて第２の熱交換器２６に送り込まれ、これにより、配管内の圧力が開放される。
【００５１】
なお、加圧防止手段は、上記構成に限らず、例えば、第１の熱交換器２５に連通接続された圧力逃し弁によって構成されてもよい。
【００５２】
このような構成の給湯器は、次のように動作する。
【００５３】
水供給口３２に供給された水が、第１の熱交換器２５および第２の熱交換器２６を流通すると、これら熱交換器２５，２６内の水とバーナ２４から発生する燃焼排気とで熱交換する。燃焼排気から熱を受け取った水は、温度が上昇して出湯口３３から出湯する。
【００５４】
このとき、第１の熱交換器２５にはドレンが発生する。ドレンは、導水部４１に落下し、容器部４２に集水される。容器部４２に集水されたドレンは、大部分が多孔質体５１に吸い上げられるが、多孔質体５１に吸い上げられないドレンは、容器部４２に溜められる。
【００５５】
多孔質体５１に吸い上げられたドレンは、燃焼排気によって蒸発する。多孔質体５１は、蒸発した分だけ、さらにドレンを容器部４２から吸い上げる。この多孔質体５１に吸い上げられるドレンの蒸発量（つまり、吸い上げ量）が、ドレンの発生量よりも多い場合には、ドレンが容器部４２に溜まらない。一方、多孔質体５１に吸い上げられるドレンの蒸発量が、ドレンの発生量よりも少ない場合には、運転の継続に伴って容器部４２のドレン量が増えてゆく。
【００５６】
この場合、容器部４２のドレンの液面が上昇してゆき、一定の液面高さとなると、ドレン量検知部８によってドレン量が検知される。すると、制御装置７は、切替弁６１を駆動制御し、供給管２８を流通する水が、バイパス管６を通して第１の熱交換器２５をバイパスするように流通する。
【００５７】
これにより、第１の熱交換器２５に温度の低い水が流入しないので、第１の熱交換器２５による燃焼排気の潜熱の回収が抑制される。この結果、ドレンの発生が抑制され、多孔質体５１に吸い上げられるドレンの蒸発量が、ドレンの発生量よりも多くなる。
【００５８】
この状態でバーナ２４の燃焼が続くと、容器部４２のドレンの液面が下降してゆき、ドレンの液面がドレン量検知部８によって検知されない状態となる。すると、制御装置７は、供給管２８を流通する水が第１の熱交換器２５を通るように、切替弁６１を切り替える。これによって、給湯器は、再び、熱回収率の高い状態となる。
【００５９】
以上、説明したように、本実施形態の給湯器（給湯装置）は、供給管２８と、第１の熱交換器２５と、第２の熱交換器２６と、出湯管３１と、バーナ２４とを備えている。供給管２８は、上流側の端部に水供給口３２が設けられている。第１の熱交換器２５は、この供給管２８に接続されている。第２の熱交換器２６は、第１の熱交換器２５の下流側に接続されている。出湯管３１は、第２の熱交換器２６の下流側に接続されており、その下流側の端部に出湯口３３が設けられている。バーナ２４は、第１の熱交換器２５および第２の熱交換器２６と燃焼排気との間で熱交換を行わせる。この給湯器は、第２の熱交換器２６によって燃焼排気の顕熱を回収し、第１の熱交換器２５によって第２の熱交換器２６と熱交換した後の燃焼排気の潜熱を回収するように構成されている。この給湯器は、バイパス管６と、切替弁６１と、この切替弁６１を制御する制御装置７とを備えている。バイパス管６は、供給管２８と第２の熱交換器２６の上流側との間に設けられている。切替弁６１は、水供給口３２に供給された水を、第１の熱交換器２５を通すか、あるいはバイパス管６を通して第１の熱交換器２５をバイパスさせるかを切り替える。制御装置７は、この切替弁６１を、第１の熱交換器２５と熱交換した燃焼排気から生ずるドレンの量に基づいて切り替える。
【００６０】
本実施形態の給湯器は、ドレンの発生量に基づいて切替弁６１を切り替える。このため、ドレンの発生量が多い場合には、供給した水について第１の熱交換器２５をバイパスさせることで、ドレンの発生を抑制できる。また、ドレンの発生量が少ない場合には、供給した水について第１の熱交換器２５を通すことで、燃焼排気から効果的に熱を回収できる。この結果、できる限り熱回収率を高めながら、長時間、継続使用した場合であってもドレンの漏れを防止することができる。
【００６１】
また、本実施形態の給湯器は、第１の熱交換器２５と熱交換した燃焼排気から生ずるドレンを受けるドレン受け４と、このドレン受け４に溜められたドレンの量を検知するドレン量検知部８とを備えている。制御装置７は、ドレン量検知部８によって検知されたドレン量が所定の量となると、バイパス管６を通して第１の熱交換器２５をバイパスするように切替弁６１を切り替える。
【００６２】
本実施形態の給湯器は、ドレン受け４に溜められたドレンの量が所定の量となると、ドレンの発生量が抑制される。このため、本実施形態の給湯器によれば、長時間、継続使用した場合であってもドレンの漏れを防止することができる。
【００６３】
また、本実施形態の給湯器は、ドレン受け４に受けられたドレンを蒸発させるドレン蒸発装置５をさらに備えている。
【００６４】
このため、本実施形態の給湯器によれば、ドレン受け４によってドレンが受けられても、当該ドレンを蒸発させることができ、ドレン受け４からドレンが溢れるのを防ぐことができる。
【００６５】
また、本実施形態のドレン蒸発装置５は、ドレン受け４に設けられてドレンを吸い上げる多孔質体５１を備える。多孔質体５１は、バーナ２４の燃焼排気の流通路２３に配置されている。
【００６６】
このように、多孔質体５１が燃焼排気の流通路２３に配置されていると、多孔質体５１に吸い上げられたドレンを効果的に蒸発させることができる。この結果、ドレン受け４に溜まったドレンを効果的に蒸発させることができる。
【００６７】
また、本実施形態の給湯器は、第１の熱交換器２５内の水の温度を検知する温度検知部をさらに備えている。制御装置７は、バイパス管６を通して第１の熱交換器２５をバイパスさせるように切替弁６１を切り替えた状態で、前記温度検知部が検知した温度値が所定の温度を超えると、所定の時間、第１の熱交換器２５を通すように切替弁６１を切り替える。
【００６８】
本実施形態の給湯器は、第１の熱交換器２５内の水が加熱され続けると、供給管２８内の水を第１の熱交換器２５内に流通する。このため、第１の熱交換器２５内の水が過熱状態となって膨張するのを防ぐことができ、配管内が過圧状態となるのを回避することができる。
【００６９】
また、本実施形態のドレン蒸発装置５は、ドレン受け４に多孔質体５１を設けることで、ドレン受け４に集水されたドレンの蒸発を促進するが、これに加えて、ドレン受け４をヒータによって加熱してもよい。ヒータは、例えば、ドレン受け４の容器部４２の底面の裏側から容器部４２を加熱するようにして取り付けられる。これにより、ドレン受け４に溜められたドレンは、気化が一層促進される。
【００７０】
なお、このヒータは、多孔質体５１に追加的に設けられてもよいし、多孔質体５１に替えて設けられてもよい。つまり、ドレン蒸発装置５は、多孔質体５１とヒータとを備えてもよいし、いずれか一方だけであってもよい。
【００７１】
また、本実施形態の給湯装置はいわゆる給湯器であったが、本発明の「給湯装置」としては、上述した給湯機能を有する給湯器のほか、湯を熱源とする床暖房や浴室暖房乾燥機に湯を循環させる機能を併せ持つ温水暖房熱源機や、浴槽内の湯を循環させて追い焚きする機能を併せ持つ風呂給湯器でもよい。
【００７２】
また、本実施形態の給湯器は、開閉弁２９の駆動によって、湯の供給と止水とを切り替えていたが、開閉弁２９を設けずに、給湯器内の水の流通の有無を検知する水流センサーを給湯器に設け、この水流センサーの検知信号に基づいて制御装置がバーナの燃焼を制御してもよい。これによって、湯の供給先のカランをユーザーが開閉することで、水流センサーが給湯器内の水の流通を検知し、これに伴ってバーナの燃焼が制御される。
【符号の説明】
【００７３】
１      筐体
１１    給気口
１２    排気口
２      燃焼室
２１    流入口
２２    流出口
２３    流通路
２４    バーナ
２５    第１の熱交換器
２６    第２の熱交換器
２７    ファン
２８    供給管
２９    開閉弁
３０    接続管
３１    出湯管
３２    供給口
３３    出湯口
４      ドレン受け
４１    導水部
４２    容器部
５      ドレン蒸発装置
５１    多孔質体
６      バイパス管
６１    切替弁
７      制御装置
８      ドレン量検知部
【図１】
2015194285.tif 000003
【図２】
2015194285.tif 000004